(57)【要約】【課題】製造原価が安価で、吹き出し効果が高く、容器を掴みやすい乗り物用カップホルダを提供する。【解決手段】支持部材１に対して、空調用空気Ａを吹き出し可能なる吹き出し口ユニット９が手前側に移動自在であり、吹き出し口ユニット９は、前後に筒状をなしたダクト本体１０と、ダクト本体１０の上側に容器１１の出し入れ自在なる開口１２を開閉自在とした蓋体１３とよりなり、ダクト本体１０の正面に空気吹き出し口１４が形成されてなる。【選択図】        図４
2004148862.tif 000002
【特許請求の範囲】
【請求項１】
支持部材に対して、空調用空気を吹き出し可能なる吹き出し口ユニットが手前側に移動自在であり、該吹き出し口ユニットは、前後に筒状をなしたダクト本体と、該ダクト本体の上側に容器の出し入れ自在なる開口を開閉自在とした蓋体とよりなり、前記ダクト本体の正面に空気吹き出し口が形成されてなることを特徴とする乗り物用カップホルダ。
【請求項２】
請求項１に記載の乗り物用カップホルダであって、
前記ダクト本体の側方に空気の吹き出し可能なるサイド吹き出し口を形成してなることを特徴とする乗り物用カップホルダ。
【請求項３】
請求項１又は請求項２に記載の乗り物用カップホルダであって、
前記蓋体は、前記ダクト本体の上面にスライド自在であり、摩擦抵抗により適宜の位置で停止可能であることを特徴とする乗り物用カップホルダ。
【発明の詳細な説明】
【０００１】
【発明の属する技術分野】
この発明は、自動車、軌道車両、船舶、航空機など適宜の乗り物用カップホルダに関するものである。
【０００２】
【従来の技術】
従来の乗り物用カップホルダとしては、インストルメントパネルなどの支持部材のセンタコンソールボックス部に設けた小物入れボックスの開口部の下縁にリッドを開閉自在に装着し、該リッドにカップホルダを側方より引き出し、格納自在に設け、小物入れボックスの側部に、リッドより引き出したカップホルダで保持したカップに指向して空調用空気を吹き出す吹き出し口を設けたものがある（特許文献１参照。）。
【０００３】
また、他の従来の乗り物用カップホルダとしては、インストルメントパネルなどの支持部材のセンタに計器類と同様な高さに設けた空調用空気を吹き出す吹き出し口の上部に、容器の直径よりも大きく且つ容器の周面を保持可能なる孔が形成されてなる容器案内部が引き出し、格納自在に設け、前記吹き出し口の下部に、容器の下部を保持可能なる容器保持部が引き出し、格納自在に設けられてなるものがある（特許文献２参照。）。
【０００４】
【特許文献１】
特開平７−１７９１２１号公報（要約、図１乃至図４）
【特許文献２】
特開２００１−３１５５６３号公報（要約、図１乃至図４）
【０００５】
【発明が解決しようとする課題】
しかしながら、このような従来の乗り物用カップホルダにあっては、容器を保持する手段と空気吹き出し手段とが別の物であるので、製造原価が高騰するおそれがある。また、空気の吹き出し口がインストルメントパネルに面一なので乗員から遠い位置にあって、吹き出された空気が分散してしまうおそれがある。更に、カップホルダの保持される位置が空気の吹き出し口同様、インストルメントパネルに面一なので乗員から遠い位置にあって、容器を掴みにくく、改善が望まれている。
【０００６】
そこで、この発明は、製造原価が安価で、吹き出し効果が高く、容器を掴みやすい乗り物用カップホルダを提供するものである。
【０００７】
【課題を解決するための手段】
請求項１に記載の発明は、支持部材に対して、空調用空気を吹き出し可能なる吹き出し口ユニットが手前側に移動自在であり、該吹き出し口ユニットは、前後に筒状をなしたダクト本体と、該ダクト本体の上側に容器の出し入れ自在なる開口を開閉自在とした蓋体とよりなり、前記ダクト本体の正面に空気吹き出し口が形成されてなることを特徴とする。
【０００８】
請求項１に記載の発明によれば、容器を保持する手段と空気吹き出し手段とがダクト本体により一体であるので、製造原価が低減する。また、空気の吹き出し口がダクト本体により支持部材から手前側に移動自在なので、吹き出された空気が分散する前に乗員に当たり、空調効果が高い。該ダクト本体を支持部材に没入すれば、室内空間を狭くせず、邪魔にならないので、利便性に優れる。更に、ダクト本体を手前側に移動させて蓋体を開成すれば、ダクト本体の上側に容器の出し入れが自在なる開口が形成されてなるので、カップホルダの保持される位置が空気の吹き出し口同様、支持部材から手前側にあるため、乗員から近い位置にあって、容器を掴み易いことになる。
【０００９】
請求項２に記載の発明は、前記ダクト本体の側方に空気の吹き出し可能なるサイド吹き出し口を形成してなることを特徴とする。
【００１０】
請求項２に記載の発明によれば、前記サイド吹き出し口から空気が吹き出し可能であるので、空気吹き出し口が形成されてなるダクト本体の正面以外にも、空気が及び、室内空間の空調が好ましいものとなる。
【００１１】
請求項３に記載の発明は、前記蓋体は、前記ダクト本体の上面にスライド自在であり、摩擦抵抗により適宜の位置で停止可能であることを特徴とする。
【００１２】
請求項３に記載の発明によれば、前記ダクト本体を手前側に移動させて、蓋体を持って適宜の位置に止めれば、その位置で摩擦抵抗が高くなって停止するので、容器の直径の差に適宜合致させることができる。
【００１３】
【発明の実施の形態】
図１乃至図４は、この発明に係る一実施形態の乗り物用カップホルダを示す図である。
【００１４】
符号１は、「支持部材」であるインストルメントパネルで、該インストルメントパネル１は、パネル本体２と、該パネル本体２の上部を覆うパッド３と、該パッド３に設けられてなるカップホルダ４と、前記パネル本体２に保持された開閉自在なるグローブリッド５及びセンターコンソールボックス６と、計器７とよりなる。符号８は、計器７の手前側に配されるステアリングホイールである。
【００１５】
前記カップホルダ４は、前記インストルメントパネル１のパッド３に対して、図示しない空調装置により調和された空調用空気Ａを吹き出し可能なる吹き出し口ユニット９が手前側（図１の紙面手前側）に移動自在であり、該吹き出し口ユニット９は、前後に筒状をなしたダクト本体１０と、該ダクト本体１０の上側に容器１１の出し入れ自在なる開口１２を開閉自在とした蓋体１３とよりなり、前記ダクト本体１０の正面に空気吹き出し口１４が形成されてなる。
【００１６】
前記ダクト本体１０の両側方には、空調用空気Ａの吹き出し可能なるサイド吹き出し口１５を形成してなる。
【００１７】
前記蓋体１３は、前記ダクト本体１０の上面にスライド自在であり、摩擦抵抗により適宜の位置で停止可能である。図４に示す符号１３ａは、該蓋体１３の操作つまみであり、上側に立っている。
【００１８】
前記空気吹き出し口１４は、パッド３の開口部１６を覆うグリル枠１７と、該グリル枠１７の横方向に架橋されて上下左右に風向きを変更可能なる複数のフィン１８（但し、左右方向に風向きを変更可能なフィンは図示を省略する）とよりなり、該空気吹き出し口１４のグリル枠１７の下部には、「ＰＵＳＨ」なる文字１９が刻設されてなり、該「ＰＵＳＨ」部１９を押すことで、図２に示すインストルメントパネル１のパッド３に面一の位置から図３に示す突出した位置に移動可能である。そして、図３に示す突出した位置にある「ＰＵＳＨ」部１９を押すことで、図２に示すインストルメントパネル１のパッド３に面一の位置に移動可能である。この作動は、周知のハートカムを用いているので、詳細なる説明は割愛する。符号１８ａは、フィン１８を操作可能なるつまみである。
【００１９】
かかる構成よりなるから、次にその作用について説明する。
【００２０】
容器１１を保持する手段であるカップホルダ４と空気吹き出し手段であるカップホルダ４とが、ダクト本体１０により一体であるので、製造原価が低減することになる。
【００２１】
また、空調空気Ａの吹き出し口１４がダクト本体１０によりインストルメントパネル１のパッド３から手前側に移動自在なので、吹き出された空調空気Ａが分散する前に乗員に当たり、空調効果が高いばかりか、該ダクト本体１０をインストルメントパネル１のパッド３に没入、即ち、パッド３に面一にすれば、室内空間を狭くせず、邪魔にならないので、利便性に優れる。
【００２２】
更に、ダクト本体を手前側に移動させて蓋体を開成すれば、ダクト本体の上側に容器の出し入れが自在なる開口が形成されてなるので、カップホルダの保持される位置が空気の吹き出し口同様、支持部材から手前側にあるため、乗員から近い位置にあって、容器を掴み易いことになる。
【００２３】
ダクト本体１０の側方に空調空気Ａの吹き出し可能なるサイド吹き出し口１５を形成してなるので、サイド吹き出し口１５から空調空気Ａが吹き出し可能であるので、空気吹き出し口１４が形成されてなるダクト本体１０の正面以外にも、空調空気Ａが及び、室内空間の空調が好ましいものとなる。
【００２４】
前記蓋体１３は、前記ダクト本体１０の上面にスライド自在であり、摩擦抵抗により適宜の位置で停止可能であるので、前記ダクト本体１０を手前側に移動させて、蓋体１３を持って適宜の位置に止めれば、その位置で摩擦抵抗が高くなって停止するので、容器１１の直径の差に適宜合致させることができる。
【００２５】
前記実施形態では、前記サイド吹き出し口１５が開口のままであるが、このサイド吹き出し口１５にも開閉自在な蓋体が設けられていても良い。
【００２６】
【発明の効果】
この発明によれば、容器を保持する手段と空気吹き出し手段とがダクト本体により一体であるので、製造原価が低減する。また、空気の吹き出し口がダクト本体により支持部材から手前側に移動自在なので、吹き出された空気が分散する前に乗員に当たり、空調効果が高い。該ダクト本体を支持部材に没入すれば、室内空間を狭くせず、邪魔にならないので、利便性に優れる。更に、ダクト本体を手前側に移動させて蓋体を開成すれば、ダクト本体の上側に容器の出し入れが自在なる開口が形成されてなるので、カップホルダの保持される位置が空気の吹き出し口同様、支持部材から手前側にあるため、乗員から近い位置にあって、容器を掴み易いことになるなどの効果がある。
【図面の簡単な説明】
【図１】この発明の一実施形態に係る乗り物用カップホルダを支持したインストルメントパネルの正面図。
【図２】図１のカップホルダがインストルメントパネルに面一な状態の斜視図。
【図３】図１のカップホルダがインストルメントパネルから手前側に移動した後の状態を示す斜視図。
【図４】図３のカップホルダに容器を支持させた状態を示す斜視図。
【符号の説明】
１  「支持部材」であるインストルメントパネル
３  インストルメントパネルのパッド
４  カップホルダ
９  吹き出し口ユニット
１０  ダクト本体
１１  容器
１２  開口
１３  蓋体
１４  空気吹き出し口
１５  サイド吹き出し口
Ａ  空調用空気
【図１】
2004148862.tif 000003
【図２】
2004148862.tif 000004
【図３】
2004148862.tif 000005
【図４】
2004148862.tif 000006